(57)【要約】【課題】眼鏡に対して補聴器を装着でき、かつ取り外し可能で、目立ちにくい補聴器付眼鏡を提供する。【解決手段】  眼鏡の左右一対のつるの内、少なくとも一方のつるの自由端部の側面に凹部を形成し、マイクを内蔵した補聴器本体をその凹部に着脱自在に装着する。耳の裏に補聴器本体が隠れるので、目立ちにくい。【選択図】図１
2006162879.tif 000002
【特許請求の範囲】
【請求項１】
眼鏡と、
その眼鏡の左右一対のつるの内、少なくとも一方のつるの自由端部の側面に形成された凹部と、
その凹部に着脱自在に装着された補聴器本体と、
その補聴器本体に内蔵され、集音した音声を電気信号に変換するマイクと、
前記電気信号を増幅する増幅器と、
増幅された前記電気信号を音声信号に変換するイヤホンと、
を備えたことを特徴とする補聴器付眼鏡。
【請求項２】
前記凹部の上壁部または下壁部には切り欠きが形成されている請求項１記載の補聴器付眼鏡。
【請求項３】
眼鏡と、
その眼鏡の左右一対のつるの内、少なくとも一方のつるの自由端部の側面に形成された凹部と、
その凹部に着脱自在に装着された補聴器本体と、
その補聴器本体に内蔵され、集音した音声を電気信号に変換するマイクと、
前記電気信号を増幅する増幅器と、
増幅された前記電気信号を音声信号に変換するイヤホンと、
前記凹部の上壁部に形成された切り欠きと、
を備え、前記切り欠きから前記マイクが露出することを特徴とする補聴器付眼鏡。
【請求項４】
前記凹部は、前記つるの自由端部の外側面に形成されている請求項１または３記載の補聴器付眼鏡。
【請求項５】
前記凹部は左右両方の前記つるに形成され、一方の凹部に前記補聴器本体が装着され、他方の凹部には凹みを平坦化するための蓋が取り付けられる請求項４記載の補聴器付眼鏡。
【発明の詳細な説明】
【技術分野】
【０００１】
本発明は、補聴器付眼鏡に関するものである。
【背景技術】
【０００２】
下記特許文献１には、眼鏡のつるの内部にマイク、電源、増幅器、プリント基板などを組み込んで一体化させた眼鏡型補聴器が開示されている。眼鏡のつるから導線が出てイヤホンと電気接続しており、使用者はそのイヤホンを使って周囲の音声を聴くことができる。つると補聴器とが一体化しているので、使用者は眼鏡と補聴器とを別々に所持する必要が無くなる。
【特許文献１】実開昭６３−９５３９９号公報
【０００３】
しかし上記発明は、眼鏡から補聴器を取り外せないという問題がある。そこで下記特許文献２には眼鏡に着脱できる補聴器具が開示されている。この補聴器具はマイクユニットと骨伝導ユニットを備えたもので、マイクユニットに設けられた係止体を利用して眼鏡のつるに引っ掛けて使用する。骨伝導ユニットは眼鏡のつるに垂設されており、その骨伝導ユニットを使用者の頬骨近傍に軽く押付けることで、使用者へ音声振動を効率よく伝達できる。
【特許文献２】特開２００４−２０５８３９号公報
【０００４】
しかし上記特許文献２の発明は眼鏡のつるに取り付けられたマイクユニットや、つるに垂設された骨伝導ユニットが目立ちやすいという問題がある。
【発明の開示】
【発明が解決しようとする課題】
【０００５】
本発明は上述のような事情を背景になされたもので、特に、眼鏡に対して補聴器を装着でき、かつ取り外し可能で、目立ちにくい補聴器付眼鏡を提供することを課題とする。
【課題を解決するための手段および発明の効果】
【０００６】
上記課題を解決するために本発明の補聴器付眼鏡は、
眼鏡と、
その眼鏡の左右一対のつるの内、少なくとも一方のつるの自由端部の側面に形成された凹部と、
その凹部に着脱自在に装着された補聴器本体と、
その補聴器本体に内蔵され、集音した音声を電気信号に変換するマイクと、
前記電気信号を増幅する増幅器と、
増幅された前記電気信号を音声信号に変換するイヤホンと、
を備えたことを主要な特徴とする。
【０００７】
上記本発明によると、眼鏡のつるの自由端部の側面に凹部が形成され、その凹部に補聴器本体が着脱自在に装着される。つるの自由端部は耳に掛かる部位であるので、眼鏡をかけた際に耳の裏側に補聴器本体が隠れ、目立ちにくい。凹部はつるの外側面または内側面のどちらにも形成できるが、外側面に形成するのが望ましい。その理由は、内側面に形成するとマイクが使用者の頭に塞がれてしまい、集音効率が低下したりハウリングが起きたりするからである。
【０００８】
補聴器本体はマイク、増幅器、電源などを内蔵する。マイクは使用者の周囲の音声（例えば話し相手の声）を電気信号に変換し、増幅器がその電気信号を増幅する。イヤホンは導線を介して増幅器の出力端子に接続されており、増幅電気信号を音声信号に変換する。使用者はイヤホンを利用して音声を聴くことができる。
【０００９】
なお、上記凹部の上壁部または下壁部に切り欠きを形成しておくとよい。補聴器が不要な場合には、切り欠きにドライバー等を差し込んで力を加えることにより、容易に補聴器を取り外すことができる。
【００１０】
また、本発明の補聴器付眼鏡は、
眼鏡と、
その眼鏡の左右一対のつるの内、少なくとも一方のつるの自由端部の側面に形成された凹部と、
その凹部に着脱自在に装着された補聴器本体と、
その補聴器本体に内蔵され、集音した音声を電気信号に変換するマイクと、
前記電気信号を増幅する増幅器と、
増幅された前記電気信号を音声信号に変換するイヤホンと、
前記凹部の上壁部に形成された切り欠きと、
を備え、前記切り欠きから前記マイクが露出することを特徴とする。
【００１１】
補聴器本体には、複数のマイクを内蔵させることが可能である。これらのマイクが互いに異なる方向を向くようにすると、立体音響性能を高めることができる。しかし、補聴器本体は上述したように凹部に挿入されるので、マイクが塞がれてしまう場合がある。そこで凹部の上壁部または下壁部に切り欠きを形成してマイクを露出させると、集音しやすくなる。この切り欠きは、補聴器本体を眼鏡から取り外す際に、工具などを差し込む箇所としても利用できる。
【発明を実施するための最良の形態】
【００１２】
以下、本発明を実施するための最良の形態を、図面を用いて説明する。
まず、本発明に係る補聴器付眼鏡１の斜視図を図１に示す。図のように、眼鏡は左右一対のレンズ２と、レンズフレーム３を有し、レンズフレーム３には左右一対のつる４Ｌ，４Ｒがヒンジ５によって回動自在に取り付けられている。つる４Ｌ，４Ｒの自由端部６は、使用の際に耳を掛ける部分である。自由端部６の外側面には凹部Ｄが形成され、補聴器本体７が着脱自在に装着されている。また、自由端部６の外側面と補聴器７の側面は、ほぼ面一とされている。
【００１３】
凹部Ｄの上壁部には切り欠きＣが形成され、そこからマイク８ａが露出している。切り欠きＣは、マイク８ａが塞がれないようにするための開口部として機能するとともに、補聴器本体が不必要な場合に工具などを差し込んで取り外すための取り外し口としても機能する。
【００１４】
なお、右側のつる４Ｒ又は左側のつる４Ｌの、どちらか一方のつるだけに凹部Ｄを形成することもできるが、図１のように両側に形成するのが望ましい。その理由は、両側に凹部Ｄを形成しておけば、左右どちらか一方にのみ補聴器本体７を装着する場合と、両方に装着する場合の、どちらの場合にも対応することが可能だからである。左右どちらか一方の凹部Ｄにのみ補聴器本体７を装着する場合は、装着していない方の凹部Ｄに蓋を取り付けると、凹みが目立たなくなる。
【００１５】
次に、図２Ａを用いて補聴器について説明する。補聴器本体７はマイク、電源、増幅器などを内蔵するもので、使用感を与えないために軽く、かつ小さく作られている。図２Ａの補聴器本体７は２つのマイク８ａ，８ｂを有し、一方のマイク８ａは上方を向き、他方のマイク８ｂは前方を向いている。このように複数のマイクを搭載すると、立体的な音響効果が得られる。マイク８ａ，８ｂは使用者の周囲の音声を電気信号に変換し、増幅器はその電気信号を増幅する。イヤホン９は導線１０を介して増幅器の出力端子に接続されており、増幅された電気信号を音声信号に変換する。使用者はイヤホン９を耳に差し込んで音声を聞くことができる。
【００１６】
図２Ｂは補聴器本体７が装着されていない状態における自由端部６の拡大図である。凹部Ｄの幅Ｗは、補聴器本体７の幅とほぼ等しくされている。これにより、補聴器本体７を凹部Ｄへ装着したときに、補聴器本体７の側面と、つる４Ｌ，４Ｒの自由端部６の側面とをほぼ面一にできる。また、凹部Ｄの上壁部には切り欠きＣが形成され、マイク８ａが露出するようにしてある。切り欠きＣは凹部Ｄの上壁部１１または下壁部１２のいずれに形成してもよいが、図２Ｂに示すように上壁部１１に形成するのが望ましい。その理由は、下壁部１２に切り欠きＣを形成して、その切り欠きからマイクが露出するようにしても、眼鏡を掛けた時にマイクが耳に塞がれてしまうからである。
【００１７】
図３Ａは補聴器付眼鏡の使用状態説明図であり、図３Ｂは要部拡大図である。このように、使用状態においては補聴器本体７が耳の裏に隠れるので目立ちにくい。また、導線１０の長さを最小限に留めることができる。切り欠きＣからはマイク８ａが露出しており、上方からの音を効率よく集音できる。
【００１８】
従来の、眼鏡のつるに補聴器を組み込んで一体化したものは、例えば眼鏡が傷ついたりした場合には、補聴器ごと全て交換しなければならなかった。しかし本発明は補聴器を取り外せるので、眼鏡だけを交換でき、安くすませられる。また、眼鏡のつるに補聴器を引っ掛けて使用する補聴器も従来からあるが、目立ちやすかった。それに対して本発明は、図３Ａに示すように補聴器本体７が耳の後ろに隠れるので目立たず、自然な感じにすることができる。
【００１９】
以上説明した実施形態では、つる４Ｌ，４Ｒの外側面に凹部Ｄを形成したが、図４に示すように内側面に形成することも可能である。しかし、このようにすると使用した際にマイク８ｂが頭で塞がれてしまい、集音機能が低下しやすくなる。また、ハウリングが起きる場合もあるので、外側面に凹部Ｄを形成するのが好ましい。
【００２０】
なお、上述の実施形態では補聴器本体７とイヤホン９が導線１０で接続されていたが、無線を利用することもできる。その例を図５に示す。補聴器本体７にはマイクの他に電源や送信アンテナ（図示しない）が組み込まれており、マイクが音声を電気信号に変換し、送信アンテナがその電気信号をイヤホン９’へ無線送信する。イヤホン９’には受信アンテナ、電源、増幅器など（図示しない）が組み込まれている。受信アンテナは補聴器本体７からの無線信号を受信し、増幅器がその無線信号を増幅する。そしてイヤホンは増幅された電気信号を音声信号に変換する。このようにすると導線を用いる必要が無くなる。補聴器本体７とイヤホンが導線で接続されていると、眼鏡を耳から外した場合に導線が引っ張られてイヤホンが抜け落ちてしまう場合があるが、図５の実施形態ではそのような問題が生じない。
【００２１】
図６は、つるの内側面に形成した凹部Ｄに補聴器本体７を装着し、かつカバー１３を取り付けた実施形態である。また、図７は、使用状態の説明図で、つるの外側面に形成した凹部Ｄに補聴器本体７を装着し、カバー１３を取り付けたものである。このようにカバー１３を取り付けることにより、使用中においても、補聴器本体７が凹部Ｄから抜け落ちにくくなる。
【図面の簡単な説明】
【００２２】
【図１】本発明に係る補聴器付眼鏡の斜視図。
【図２】Ａ図は補聴器本体７の拡大図であり、Ｂ図は補聴器本体７が装着されていない状態における、自由端部６の拡大図である。
【図３】使用状態説明図
【図４】図１とは別の実施形態
【図５】図３とは別の使用状態説明図
【図６】図４の実施形態に、カバー１３を取り付けた図。
【図７】図５の実施形態に、カバー１３を取り付けた図。
【符号の説明】
【００２３】
１  補聴器付眼鏡
２  レンズ
３  レンズフレーム
４Ｌ，４Ｒ  つる
５  ヒンジ
６  自由端部
７  補聴器本体
８ａ，８ｂ  マイク
９  イヤホン
１０  導線
１１  凹部の上壁部
１２  凹部の下壁部
１３  カバー
Ｃ  切り欠き
Ｄ  凹部
【図１】
2006162879.tif 000003
【図２】
2006162879.tif 000004
【図３】
2006162879.tif 000005
【図４】
2006162879.tif 000006
【図５】
2006162879.tif 000007
【図６】
2006162879.tif 000008
【図７】
2006162879.tif 000009